(57)【特許請求の範囲】
【請求項１】
第１、第２のハウジング同士を嵌合して、それぞれに内蔵した接続端子同士を結合する電気コネクタにおいて、前記第１のハウジングの後部に前記接続端子の後方への抜け止めを行うためのリアホルダを取り付け、該リアホルダには前記第１のハウジング内において前記各接続端子をそれぞれ係止するための係止ランスを設けると共に、相手側の前記第２のハウジングと錠止するための錠止アームを備え、該錠止アームの先端を前記第１のハウジングに設けた補助アームにより弾性的に支持したことを特徴とする電気コネクタ。
【請求項２】
前記錠止アームは相手側の前記第２のハウジング本体に対し錠止するようにした請求項１に記載の電気コネクタ。
【請求項３】
前記錠止アームは相手側の前記第２のハウジングに取り付けたリアホルダに対し錠止するようにした請求項１に記載の電気コネクタ。
【請求項４】
前記錠止アームに掛止爪を設けた請求項１に記載の電気コネクタ。
【発明の詳細な説明】
【０００１】
【発明の属する技術分野】
本発明は、接続端子をそれぞれ収容した一対のハウジングを結合及び解除して使用する電気コネクタに関するものである。
【０００２】
【従来の技術】
ハウジングに接続端子を収容しこの接続端子を係止する場合には、ハウジング内に設けた係止ランスにより行う場合が一般的である。更に、この係止を確実にするために、ハウジングの後部にリアホルダを取り付け、このリアホルダにより接続端子の後抜けを防止することも多い。
【０００３】
【発明が解決しようとする課題】
ハウジング同士の嵌合後のこれらの相互の錠止は、ハウジング同士に設けた錠止機構により行っている。しかし、通常ではリアホルダはこの錠止について何ら関与することがないので、リアホルダについての固定は必ずしも十分ではない。
【０００４】
また、コネクタの嵌合時にリアホルダに大きな力が加わると、リアホルダがハウジングから外れてしまうこともないではない。
【０００５】
本発明の目的は、上述の課題を解決し、リアホルダにより相手側ハウジングに対し確実に錠止し、リアホルダを確実に固定するようにした電気コネクタを提供することにある。
【０００６】
【課題を解決するための手段】
上記目的を達成するための本発明に係る電気コネクタは、第１、第２のハウジング同士を嵌合して、それぞれに内蔵した接続端子同士を結合する電気コネクタにおいて、前記第１のハウジングの後部に前記接続端子の後方への抜け止めを行うためのリアホルダを取り付け、該リアホルダには前記第１のハウジング内において前記各接続端子をそれぞれ係止するための係止ランスを設けると共に、相手側の前記第２のハウジングと錠止するための錠止アームを備え、該錠止アームの先端を前記第１のハウジングに設けた補助アームにより弾性的に支持したことを特徴とする。
【０００７】
【発明の実施の形態】
図１〜図６は本発明に先立つ参考例を示し、図１、図２はリアホルダの平面図、断面図である。リアホルダ１のリアホルダ本体２には、ハウジングの端子収納孔内にそれぞれ挿入し、接続端子を係止するための可撓性を有する複数本の係止ランス３が設けられている。また、リアホルダ本体２の中央上部には弾発性を有する錠止アーム４が設けられ、この錠止アーム４は前方に折り返し部５を有するＵ字状に形成され、上腕６は後方に折り返され、上腕６の上部には掛止爪７が設けられている。上腕６の先端には錠止解除部８が設けられ、この錠止解除部８はリアホルダ本体２に可撓アーム９を介して連結されている。なお、１０はリアホルダ１をハウジングに対し係止するための係止部である。
【０００８】
図３は一方のコネクタの断面図であり、ハウジング１１内に後方からリアホルダ１が嵌挿されている。ハウジング１１内には上下２段、上段８列、下段９列に端子収容孔１２が設けられ、この端子収容孔１２内に電線１３を接続した例えば雌型の接続端子１４が挿入されており、接続端子１４は端子収納孔１２の前端の係止部１５に係止して前抜けが防止されている。リアホルダ１をハウジング１１に対して後方から押し込むと、係止ランス３が端子収容孔１２に入り込み、係止ランス３は接続端子１４の接続部の後端縁を係止する。
【０００９】
図４はハウジング１１と嵌合する相手側のハウジング２１の前端部の断面図であり、このハウジング２１にはハウジング１１の雌型接続端子１４に接続する雄型接続端子２２が装着されている。このハウジング２１には、リアホルダ１の掛止爪７と係合するための爪部２３が設けられている。
【００１０】
図５は両ハウジング１１、２１を嵌合した状態の断面図であり、ハウジング１１は相手側ハウジング２１内に入り込み、接続端子１４、２２同士が嵌合し電気的な接続がなされている。リアホルダ１の錠止アーム４に設けられた掛止爪７は一旦撓んでからハウジング２１の爪部２３の下を潜り抜けて復元して、爪部２３に係合し錠止がなされる。この錠止により、ハウジング１１、２１は不時に解離することがなくなる。
【００１１】
この錠止を解除する場合には、図６に示すように錠止アーム４に取り付けられた錠止解除部８を指で下方に押すことにより、錠止アーム４は沈み込み掛止爪７と爪部２３の係止が外れる。そこで、ハウジング１１をハウジング２１から引き離せばよい。
【００１２】
図７、図８は本発明の実施の形態のリアホルダ３１の平面図、縦断面図である。この実施の形態においては、リアホルダ本体３２には係止ランス３３が設けられ、更に錠止アーム３４がその自由端を前方に突出されており、この自由端には掛止爪３５が形成されている。また、錠止アーム３４の中間には、錠止解除部３６が設けられ、この錠止解除部３６は可撓アーム３７を介してリアホルダ本体３２に連結されている。
【００１３】
図９は接続端子１４を収容したハウジング４１にこのリアホルダ３１を嵌挿した状態の断面図であり、リアホルダ３１の係止ランス３３により端子収容孔４２に送入された雌型接続端子１４の接続部が係止されている。またハウジング４１には、リアホルダ３１の錠止アーム３４の弾発性を補強するための補助アーム４３が設けられており、錠止アーム３４を上方に押し上げている。
【００１４】
図１０はハウジング４１、２１同士が嵌合した状態の縦断面図を示し、リアホルダ３１の錠止アーム３４の掛止爪３５が、ハウジング２１の爪部２３に係合することにより錠止がなされている。
【００１５】
図１１は錠止解除部３６を押し下げることにより錠止アーム３４を沈み込ませ、錠止機構を解除した状態を示している。
【００１６】
なお、上述の実施の形態においては、一方のハウジングに設けたリアホルダにより相手側ハウジングに対し錠止しているが、双方のハウジングに設けたリアホルダ同士を係合することにより錠止するようにしてもよい。
【００１７】
このように、本発明ではリアホルダにより相手側ハウジングと錠止するので、ハウジングに収納した接続端子のがたを少なくすることができる。また、リアホルダがハウジングに完全に装着されていないと、相手側ハウジングとの錠止ができないために、不完全な状態を検知することができる。
【００１８】
【発明の効果】
以上説明したように本発明に係る電気コネクタにおいては、第１のハウジングの後部に設けたリアホルダに係止ランスと錠止アームを設け、係止ランスはハウジング内の接続端子を係止し、錠止アームは相手側の第２のハウジングを錠止すると共に、錠止アームは補助アームにより支持されているので、錠止アームによる錠止を解除しない限り、ハウジング同士が不時に解離されないことは勿論のこと、リアホルダがハウジングから外れる虞れもない。
【図面の簡単な説明】
【図１】  参考例のリアホルダの平面図である。
【図２】  参考例の断面図である。
【図３】  参考例のコネクタの断面図である。
【図４】  参考例の相手側ハウジングの前端部の断面図である。
【図５】  参考例の相手側ハウジングとの嵌合状態の断面図である。
【図６】  参考例の相手側ハウジングとの嵌合を解除する状態の断面図である。
【図７】  実施の形態のリアホルダの平面図である。
【図８】  実施の形態の断面図である。
【図９】  実施の形態のコネクタの断面図である。
【図１０】  実施の形態の相手側ハウジングとの嵌合状態の断面図である。
【図１１】  実施の形態の相手側ハウジングとの嵌合を解除する状態の断面図である。
【符号の説明】
１、３１  リアホルダ
２、３２  リアホルダ本体
３、３３  係止ランス
４、３４  錠止アーム
７、３５  掛止爪
８、３６  錠止解除部
１１、４１  ハウジング
１２、４２  端子収容孔
１４、２２  接続端子
２１  相手側ハウジング
２３  爪部
４３  補助アーム
【図１】
0003999535.tif 000002
【図２】
0003999535.tif 000003
【図３】
0003999535.tif 000004
【図４】
0003999535.tif 000005
【図５】
0003999535.tif 000006
【図６】
0003999535.tif 000007
【図７】
0003999535.tif 000008
【図８】
0003999535.tif 000009
【図９】
0003999535.tif 000010
【図１０】
0003999535.tif 000011
【図１１】
0003999535.tif 000012